(57)【要約】【課題】機能モジュールの電力路と情報路とを同時に確保することができ、機能モジュールをゲート装置の設置位置から離れた位置に設置して機能モジュールを機能させることができる配線システムを提供する。【解決手段】電力路と情報路とを構成する電線に接続されるゲート装置３に延長配線モジュール５が接続され、該延長配線モジュール５に機能モジュール４が接続されることによって、機能モジュール４が電力路から電力の受け取り或いは情報路から情報の受け取り或いは情報路から情報の受け渡しのうち少なくとも何れかを行うように構成されていることを特徴とする。【選択図】図１
2007174892.tif 000002
【特許請求の範囲】
【請求項１】
造営面の裏面に先行配線されて電力を供給する電力路と情報信号を伝送する情報路とを構成する電線に接続されるゲート装置と、ゲート装置に接続可能な入力接続部と機能モジュールに接続可能な出力接続部と入力接続部から出力接続部に電力を送るための延長送電手段及び入力接続部から出力接続部に情報を送るための延長送信手段のうち少なくとも何れか一方を備える延長配線モジュールと、前記電線の電力路からの電力の受け取り或いは前記電線の情報路を介しての情報の受け取り或いは前記電線の情報路を介しての情報の受け渡しのうち少なくとも何れかを行うことによって所定の機能を発揮する機能モジュールとを備え、前記ゲート装置に延長配線モジュールの入力接続部が接続され、延長配線モジュールの出力接続部に機能モジュールが接続されることによって、機能モジュールが前記電力路から延長送電手段を通して電力の受け取り或いは前記情報路から延長送信手段を通して情報の受け取り或いは前記情報路から延長送信手段を通して情報の受け渡しのうち少なくとも何れかを行うように構成されていることを特徴とする配線システム。
【請求項２】
前記ゲート装置は接続部を有し、前記延長配線モジュールの入力接続部は前記接続部に適合するコネクタであり、該入力接続部が前記接続部に接続されるとき、ゲート装置から前記機能モジュールへの給電と、ゲート装置と機能モジュールとの間の情報信号の伝送との双方を同時に確立させることを特徴とする請求項１に記載の配線システム。
【請求項３】
前記電線は壁内に配線された電力線及び情報線を備えてなり、前記ゲート装置は、電力線及び情報線のそれぞれに接続される電力路接続口と情報路接続口とがモジュール化されて構成される接続部を備え、前記延長配線モジュールの入力接続部は、電力路接続口に適合する電力被接触部と情報路接続口に適合する情報被接触部とを備えるコネクタであり、前記コネクタは、前記接続部に着脱自在に接続されることを特徴とする請求項１又は２の何れかに記載の配線システム。
【請求項４】
前記ゲート装置は接続部を備え、前記入力接続部は前記接続部に適合するコネクタであり、該コネクタが前記接続部に接続されることによってゲート装置と延長配線モジュールとが接続され、前記接続部は、ゲート装置の前部に設けられ、前記コネクタは、延長配線モジュール本体の一端部背面側に設けられていることを特徴とする請求項１又は３の何れかに記載の配線システム。
【請求項５】
延長配線モジュールは、壁面に沿って取り付けられていることを特徴とする請求項１乃至４の何れかに記載の配線システム。
【請求項６】
延長配線モジュールは複数あり、一方の延長配線モジュールの出力接続部と他方の延長配線モジュールの入力接続部とが互いに接続可能に構成されていることを特徴とする請求項１乃至５の何れかに記載の配線システム。
【請求項７】
延長配線モジュールは、入力接続部と出力接続部との間の距離が異なるものが複数あることを特徴とする請求項１乃至６の何れかに記載の配線システム。
【請求項８】
造営面の裏面に先行配線されて電力を供給する電力路と情報信号を伝送する情報路とを構成する電線に接続されるゲート装置に接続可能な入力接続部と、前記電力路からの電力の受け取り或いは前記情報路を介しての情報の受け取り或いは前記情報路を介しての情報の受け渡しのうち少なくとも何れかを行うことによって所定の機能を発揮する機能モジュールに接続可能な出力接続部と、入力接続部から出力接続部に電力を送るための延長送電手段及び入力接続部から出力接続部に情報を送るための延長送信手段のうち少なくとも何れか一方を備えていることを特徴とする延長配線モジュール。
【請求項９】
造営面の裏面に先行配線されて電力を供給する電力路と情報信号を伝送する情報路とを構成する電線に接続されるゲート装置と、ゲート装置に接続可能な入力接続部と副ゲート装置に接続可能な出力接続部と入力接続部から出力接続部に電力を送るための延長送電手段及び入力接続部から出力接続部に情報を送るための延長送信手段のうちの少なくとも何れか一方を備える延長配線モジュールと、前記ゲート装置とは異なるゲート装置であって機能モジュールを接続するためのモジュール接続部を有する副ゲート装置と、前記電力路からの電力の受け取り或いは前記情報路を介しての情報の受け取り或いは前記情報路を介しての情報の受け渡しのうち少なくとも何れかを行うことによって所定の機能を発揮する機能モジュールとを備え、ゲート装置に延長配線モジュールの入力接続部が接続され、延長配線モジュールの出力接続部に副ゲート装置が接続され、副ゲート装置のモジュール接続部に機能モジュールが接続されることによって、機能モジュールが前記電力路から延長送電手段を通して電力の受け取り或いは前記情報路から延長送信手段を通して情報の受け取り或いは前記情報路から延長送信手段を通して情報の受け渡しのうち少なくとも何れかを行うように構成されていることを特徴とする配線システム。
【請求項１０】
前記ゲート装置は接続部を有し、前記延長配線モジュールの入力接続部は前記接続部に適合するコネクタであり、該入力接続部が前記接続部に接続されるとき、ゲート装置から前記機能モジュールへの給電と、ゲート装置と機能モジュールとの間の情報信号の伝送との双方を同時に確立させることを特徴とする請求項９に記載の配線システム。
【請求項１１】
前記電線は壁内に配線された電力線及び情報線を備えてなり、前記ゲート装置は、電力線及び情報線のそれぞれに接続される電力路接続口と情報路接続口とがモジュール化されて構成される接続部を備え、前記延長配線モジュールの入力接続部は、電力路接続口に適合する電力被接触部と情報路接続口に適合する情報被接触部とを備えるコネクタであり、前記コネクタは、前記接続部に着脱自在に接続されることを特徴とする請求項９又は１０の何れかに記載の配線システム。
【請求項１２】
前記ゲート装置は接続部を備え、前記入力接続部は前記接続部に適合するコネクタであり、該コネクタが前記接続部に接続されることによってゲート装置と延長配線モジュールとが接続され、前記接続部は、ゲート装置の前部に設けられ、前記コネクタは、延長配線モジュール本体の一端部背面側に設けられていることを特徴とする請求項９乃至１１の何れかに記載の配線システム。
【請求項１３】
延長配線モジュールは、壁面に沿って取り付けられていることを特徴とする請求項９乃至１２の何れかに記載の配線システム。
【請求項１４】
延長配線モジュールは複数あり、一方の延長配線モジュールの出力接続部と他方の延長配線モジュールの入力接続部とが互いに接続可能に構成されていることを特徴とする請求項９乃至１３の何れかに記載の配線システム。
【請求項１５】
延長配線モジュールは、入力接続部と出力接続部との間の距離が異なるものが複数あることを特徴とする請求項９乃至１４の何れかに記載の配線システム。
【請求項１６】
造営面の裏面に先行配線されて電力を供給する電力路と情報信号を伝送する情報路とを構成する電線に接続されるゲート装置に接続可能な入力接続部と、前記ゲート装置とは異なるゲート装置であって機能モジュールを接続するためのモジュール接続部を有する副ゲート装置に接続可能な出力接続部と、入力接続部から出力接続部に電力を送るための延長送電手段及び入力接続部から出力接続部に情報を送るための延長送信手段のうち少なくとも何れか一方を備えていることを特徴とする延長配線モジュール。
【発明の詳細な説明】
【技術分野】
【０００１】
本発明は、情報と負荷の電力とを同時に送ることができ、且つ、負荷を所定の設置位置から離れた位置に設置しても負荷を機能させることができる配線システム及び配線システムに用いられる延長配線モジュールに関する。
【背景技術】
【０００２】
従来、端末器を通じて負荷の操作（監視）制御を行うシステムには、端末器へ中央監視装置から複極のベースバンド信号からなる伝送信号を時分割多重によって送り、各端末器では、この伝送信号を利用して情報の授受を行うと共に端末回路部の電源を得るシステムがあった（下記特許文献１参照）。
【０００３】
そしてこのシステムでは、埋め込み型の配線器具用に規格されているスイッチボックスとこれに対応する取付枠とを用いて操作スイッチ等を設けた操作用端末器を壁面に埋め込み配設することで、従前の壁スイッチと同様な使い方が行われるようになっている。また２組の操作用端末器を取り付ける場合には、２つの取付窓を備えた２連用の取付枠を用い、取付枠の片側の一連分を一連型のスイッチボックスに取り付け、残りの片側を壁面に沿わせるように配置し、夫々の取付窓に操作用端末器を取り付けることで、２つの操作用端末器を併設する構成を採用していた。また、取付窓間に設けた導電片を両側の取付窓に設けた操作用端末器のリード片を接触させることで、一方の操作用端末器（スイッチボックス側）から他方の操作用端末器へ信号線を送り配線する構成となっている。
【０００４】
ところで、上述のシステムは、伝送信号により端末器の端末回路部に電力を供給することができるものの、例えば信号線の電流容量等の制限から制御用端末器により制御される負荷への電力供給は、夫々の設置場所において商用電源から供給する構成であった。そのため、２線の信号線を各端末器間で接続するだけでよいため、信号線について省配線化を図ることができるものの、負荷に対する電源線の配置が従前のままであるため、制御用端末器の設置場所が限定されると言った問題があった。
【０００５】
この問題を解決すべく、本特許出願人は、ゲート装置の接続口に対して機能モジュールのコネクタを接続するだけで機能モジュールの電力路と情報路とを同時に確保でき、しかも機能モジュールをどのゲート装置にも接続できるレイアウトフリーで施工性に優れた配線システムについて、既に特許出願している。
【０００６】
当該特許出願に係る配線システムは、図８に示すように、外部の電源（例えば、商用電源ＡＣ等）に接続された電力線Ｌ１と、外部のインターネット網ＮＴに接続されている情報線Ｌ２と、電力線Ｌ１及び情報線Ｌ２が引き込まれる分電盤２と、分電盤２を介して例えば屋内等の適所に引き込まれて配線された電力線Ｌ１及び情報線Ｌ２に接続されるゲート装置３と、ゲート装置３に接続される機能モジュール４とを備える。
【０００７】
ゲート装置３は、建物内の適所において埋め込み配設している１乃至複数のスイッチボックスＳＢに取り付けられることによって壁に埋設固定されるものであり、電力線Ｌ１に接続された電力路接続口３１と、情報線Ｌ２に接続された情報路接続口３２とを有する。具体的には、ゲート装置３は、建物内の天井や側壁、床等を構成する壁に前面開口するように埋め込み配設されたスイッチボックスＳＢ内の奥壁に取り付けられ、図９に示すように、後部（スイッチボックスＳＢの奥壁側）に、電力線Ｌ１及び情報線Ｌ２をそれぞれ接続する上下一対の端子部を上下に２組３３，３４，３３’，３４’並べて配備している。また、ゲート装置３の前部には、電力線Ｌ１と電気的に接続される接触部を備え且つ前方開口した電力路接続口３１と、情報線Ｌ２と電気的に接続される接触部を備え且つ前方開口した情報路接続口３２とが設けられている。
【０００８】
ここで、電力路接続口３１と情報路接続口３２とは、両者間の間隔及び内部の接触部の配列、開口の形状をシステムとしてモジュール化（定型化或いは規格化）しており、これによって接続部３Ａを構成している。ゲート装置３は、この接続部３ＡがスイッチボックスＳＢの前面開口側に配置されるように取り付けられる。
【０００９】
また、機能モジュール４は、ゲート装置３の電力路接続口３１と情報路接続口３２とに接続されるコネクタ４Ａを有する。具体的には、機能モジュール４は、図９に示すように、その背面部に電力路接続口３１に嵌合する電力被接触部４１と情報路接続口３２に嵌合する情報被接触部４２とを備え、それぞれの被接触部にてコネクタ４Ａを構成している。そして、機能モジュール４は、電力被接触部４１が電力路接続口３１に嵌合すると共に情報被接触部４２が情報路接続口３２に嵌合するようにコネクタ４Ａを接続部３Ａに接続することによって、ゲート装置３に接続される。
【００１０】
このような配線システム１にあっては、ゲート装置３の接続部３Ａに対して機能モジュール４のコネクタ４Ａを接続するだけで電力路と情報路とを同時に確保でき、しかも機能モジュール４をどのゲート装置３にも接続できるのでレイアウトフリーで施工性に優れている。
【特許文献１】特許第３１３６００６号公報（段落番号０００４、０００５、００１５、図１、図３７）
【発明の開示】
【発明が解決しようとする課題】
【００１１】
しかしながら、上述のシステムは、壁に埋設固定されたゲート装置に対して機能モジュールを直接接続するため、機能モジュールの設置場所は、ゲート装置が固定されている位置に限定されている。
【００１２】
本発明は、当該特許出願の上述の点を改良すべくなされたものであり、その目的とするところは、機能モジュールの電力路と情報路とを同時に確保することができ、機能モジュールをゲート装置の設置位置から離れた位置に設置して機能モジュールを機能させることができる配線システム及び配線システムに用いられる延長配線モジュールを提供することにある。
【課題を解決するための手段】
【００１３】
本発明は、上述課題を解決すべくなされたものであり、本発明に係る配線システムは、造営面の裏面に先行配線されて電力を供給する電力路と情報信号を伝送する情報路とを構成する電線に接続されるゲート装置と、ゲート装置に接続可能な入力接続部と機能モジュールに接続可能な出力接続部と入力接続部から出力接続部に電力を送るための延長送電手段及び入力接続部から出力接続部に情報を送るための延長送信手段のうち少なくとも何れか一方を備える延長配線モジュールと、前記電線の電力路からの電力の受け取り或いは前記電線の情報路を介しての情報の受け取り或いは前記電線の情報路を介しての情報の受け渡しのうち少なくとも何れかを行うことによって所定の機能を発揮する機能モジュールとを備え、前記ゲート装置に延長配線モジュールの入力接続部が接続され、延長配線モジュールの出力接続部に機能モジュールが接続されることによって、機能モジュールが前記電力路から延長送電手段を通して電力の受け取り或いは前記情報路から延長送信手段を通して情報の受け取り或いは前記情報路から延長送信手段を通して情報の受け渡しのうち少なくとも何れかを行うように構成されていることを特徴とする。
【００１４】
該構成の配線システムにあっては、機能モジュールは、延長配線モジュールの出力接続部に接続することによって電力路から延長送電手段を通して電力の受け取り或いは情報路から延長送信手段を通して情報の受け取り或いは情報路から延長送信手段を通して情報の受け渡しのうち少なくとも何れかを行うことができる。
【００１５】
また、建築物の天井や側壁や床等を構成する壁面等の造営面に埋設固定されたゲート装置に延長配線モジュールの入力接続部を接続して、延長配線モジュールの出力接続部に機能モジュールを接続するようになっている。よって、機能モジュールは、ゲート装置から離れることになる。
【００１６】
特に、前記ゲート装置は接続部を有し、前記延長配線モジュールの入力接続部は前記接続部に適合するコネクタであり、該入力接続部が前記接続部に接続されるとき、ゲート装置から前記機能モジュールへの給電と、ゲート装置と機能モジュールとの間の情報信号の伝送との双方を同時に確立させることが好ましく、より確実に機能モジュールの電力路と情報路とを同時に確保することができる。
【００１７】
また、前記電線は壁内に配線された電力線及び情報線を備えてなり、前記ゲート装置は、電力線及び情報線のそれぞれに接続される電力路接続口と情報路接続口とがモジュール化されて構成される接続部を備え、前記延長配線モジュールの入力接続部は、電力路接続口に適合する電力被接触部と情報路接続口に適合する情報被接触部とを備えるコネクタであり、前記コネクタは、前記接続部に着脱自在に接続されることが好ましい。延長配線モジュールをどのゲート装置にも接続することができるので、レイアウトフリーで施工性に優れた配線システムとなる。
【００１８】
更に、前記ゲート装置は接続部を備え、前記入力接続部は前記接続部に適合するコネクタであり、該コネクタが前記接続部に接続されることによってゲート装置と延長配線モジュールとが接続され、前記接続部は、ゲート装置の前部に設けられ、前記コネクタは、延長配線モジュール本体の一端部背面側に設けられていることが好ましい。
【００１９】
また、延長配線モジュールは、壁面に沿って取り付けられていることが好ましく、延長配線モジュールを設置しても部屋の美観を損なうことがない。
【００２０】
更に、延長配線モジュールは複数あり、一方の延長配線モジュールの出力接続部と他方の延長配線モジュールの入力接続部とが互いに接続可能に構成されていることが好ましい。このような構成であると、例えば、一方の延長配線モジュールの入力接続部を壁に埋設固定されたゲート装置に接続し、出力接続部に他方の延長配線モジュールの入力接続部を接続するなどして、延長配線モジュールを壁に埋設固定されたゲート装置と機能モジュールとの間で連接して設けることができ、壁に埋設固定されたゲート装置と機能モジュールとの間の距離を調整することができる。
【００２１】
更に、延長配線モジュールは、入力接続部と出力接続部との間の距離が異なるものが複数あることが好ましく、必要に応じて延長配線モジュールの種類を使い分けることによって、壁に埋設固定されたゲート装置と機能モジュールとの間の距離の調整が容易になる。
【００２２】
また、本発明に係る延長配線モジュールは、造営面の裏面に先行配線されて電力を供給する電力路と情報信号を伝送する情報路とを構成する電線に接続されるゲート装置に接続可能な入力接続部と、前記電力路からの電力の受け取り或いは前記情報路を介しての情報の受け取り或いは前記情報路を介しての情報の受け渡しのうち少なくとも何れかを行うことによって所定の機能を発揮する機能モジュールに接続可能な出力接続部と、入力接続部から出力接続部に電力を送るための延長送電手段及び入力接続部から出力接続部に情報を送るための延長送信手段のうち少なくとも何れか一方を備えていることを特徴とする。
【００２３】
また、本発明に係る配線システムは、造営面の裏面に先行配線されて電力を供給する電力路と情報信号を伝送する情報路とを構成する電線に接続されるゲート装置と、ゲート装置に接続可能な入力接続部と副ゲート装置に接続可能な出力接続部と入力接続部から出力接続部に電力を送るための延長送電手段及び入力接続部から出力接続部に情報を送るための延長送信手段のうちの少なくとも何れか一方を備える延長配線モジュールと、前記ゲート装置とは異なるゲート装置であって機能モジュールを接続するためのモジュール接続部を有する副ゲート装置と、前記電力路からの電力の受け取り或いは前記情報路を介しての情報の受け取り或いは前記情報路を介しての情報の受け渡しのうち少なくとも何れかを行うことによって所定の機能を発揮する機能モジュールとを備え、ゲート装置に延長配線モジュールの入力接続部が接続され、延長配線モジュールの出力接続部に副ゲート装置が接続され、副ゲート装置のモジュール接続部に機能モジュールが接続されることによって、機能モジュールが前記電力路から延長送電手段を通して電力の受け取り或いは前記情報路から延長送信手段を通して情報の受け取り或いは前記情報路から延長送信手段を通して情報の受け渡しのうち少なくとも何れかを行うように構成されていることを特徴とする。
【００２４】
該構成の配線システムにあっては、機能モジュールは、副ゲート装置のモジュール接続部に接続することによって電力路から延長送電手段を通して電力の受け取り或いは情報路から延長送信手段を通して情報の受け取り或いは情報路から延長送信手段を通して情報の受け渡しのうち少なくとも何れかを行うことができる。
【００２５】
また、建築物の天井や側壁や床等を構成する壁面等の造営面に埋設固定されたゲート装置に延長配線モジュールの入力接続部を接続して、延長配線モジュールの出力接続部に副ゲート装置を接続するようになっている。よって、副ゲート装置は、ゲート装置から離れることになる。そして、副ゲート装置のモジュール接続部に機能モジュールを接続するので、機能モジュールについても、ゲート装置から離れることになる。
【００２６】
特に、前記ゲート装置は接続部を有し、前記延長配線モジュールの入力接続部は前記接続部に適合するコネクタであり、該入力接続部が前記接続部に接続されるとき、ゲート装置から前記機能モジュールへの給電と、ゲート装置と機能モジュールとの間の情報信号の伝送との双方を同時に確立させることが好ましく、より確実に機能モジュールの電力路と情報路とを同時に確保することができる。
【００２７】
また、前記電線は壁内に配線された電力線及び情報線を備えてなり、前記ゲート装置は、電力線及び情報線のそれぞれに接続される電力路接続口と情報路接続口とがモジュール化されて構成される接続部を備え、前記延長配線モジュールの入力接続部は、電力路接続口に適合する電力被接触部と情報路接続口に適合する情報被接触部とを備えるコネクタであり、前記コネクタは、前記接続部に着脱自在に接続されることが好ましい。延長配線モジュールをどのゲート装置にも接続することができるので、配線システム全体がレイアウトフリーで施工性に優れたものとなる。
【００２８】
更に、前記ゲート装置は接続部を備え、前記入力接続部は前記接続部に適合するコネクタであり、該コネクタが前記接続部に接続されることによってゲート装置と延長配線モジュールとが接続され、前記接続部は、ゲート装置の前部に設けられ、前記コネクタは、延長配線モジュール本体の一端部背面側に設けられていることが好ましい。
【００２９】
また、延長配線モジュールは、壁面に沿って取り付けられていることが好ましく、延長配線モジュールを設置しても部屋の美観を損なうことがない。
【００３０】
更に、延長配線モジュールは複数あり、一方の延長配線モジュールの出力接続部と他方の延長配線モジュールの入力接続部とが互いに接続可能に構成されていることが好ましい。延長配線モジュールを壁に埋設固定されたゲート装置と副ゲート装置との間で連接して設けることができる結果、壁に埋設固定されたゲート装置と副ゲート装置に接続された機能モジュールとの間の距離を調整することができる。
【００３１】
また更に、延長配線モジュールは、入力接続部と出力接続部との間の距離が異なるものが複数あることが好ましく、必要に応じて延長配線モジュールの種類を使い分けることによって、壁に埋設固定されたゲート装置と副ゲート装置に接続された機能モジュールとの間の距離の調整が容易になる。
【００３２】
また、本発明に係る延長配線モジュールは、造営面の裏面に先行配線されて電力を供給する電力路と情報信号を伝送する情報路とを構成する電線に接続されるゲート装置に接続可能な入力接続部と、前記ゲート装置とは異なるゲート装置であって機能モジュールを接続するためのモジュール接続部を有する副ゲート装置に接続可能な出力接続部と、入力接続部から出力接続部に電力を送るための延長送電手段及び入力接続部から出力接続部に情報を送るための延長送信手段のうち少なくとも何れか一方を備えていることを特徴とする。
【発明の効果】
【００３３】
このように、本発明に係る配線システムにあっては、機能モジュールは、延長配線モジュールの出力接続部に接続することによって電力路から延長送電手段を通して電力の受け取り或いは情報路から延長送信手段を通して情報の受け取り或いは情報路から延長送信手段を通して情報の受け渡しのうち少なくとも何れかを行うことができる。従って、機能モジュールの電力路と情報路とを同時に確保することができる。
【００３４】
また、壁面等の造営面に埋設固定されたゲート装置に延長配線モジュールの入力接続部を接続し、延長配線モジュールの出力接続部に機能モジュールを接続するので、ゲート装置の設置位置に限定されることなく、機能モジュールをゲート装置の設置位置から離れた位置に設置して機能モジュールを機能させることができるという効果を奏する。
【００３５】
また、本発明に係る延長配線モジュールにあっては、機能モジュールを延長配線モジュールの出力接続部に接続すると、機能モジュールは電力路から延長送電手段を通して電力の受け取り或いは情報路から延長送信手段を通して情報の受け取り或いは情報路から延長送信手段を通して情報の受け渡しのうち少なくとも何れかを行うことができる。従って、機能モジュールの電力路と情報路とを同時に確保することができる。
【００３６】
また、延長配線モジュールは、その入力接続部を壁面等の造営面に埋設固定されたゲート装置に接続し、出力接続部に機能モジュールを接続して用いるので、ゲート装置の設置位置に限定されることなく、機能モジュールをゲート装置の設置位置から離れた位置に設置して機能モジュールを機能させることができるという効果を奏する。
【００３７】
また、本発明に係る配線システムにあっては、機能モジュールは、副ゲート装置のモジュール接続部に接続することによって電力路から延長送電手段を通して電力の受け取り或いは情報路から延長送信手段を通して情報の受け取り或いは情報路から延長送信手段を通して情報の受け渡しのうち少なくとも何れかを行うことができる。従って、機能モジュールの電力路と情報路とを同時に確保することができる。
【００３８】
また、ゲート装置から離れて設置される副ゲート装置のモジュール接続部に機能モジュールを接続するので、機能モジュールは、ゲート装置から離れることになる。従って、ゲート装置の設置位置に限定されることなく、機能モジュールをゲート装置の設置位置から離れた位置に設置して機能モジュールを機能させることができるという効果を奏する。
【００３９】
また、本発明に係る延長配線モジュールにあっては、ゲート装置に入力接続部を接続し、その延長配線モジュールの出力接続部に副ゲート装置を接続すると、副ゲート装置のモジュール接続部に接続された機能モジュールは、電力路から延長送電手段を通して電力の受け取り或いは情報路から延長送信手段を通して情報の受け取り或いは情報路から延長送信手段を通して情報の受け渡しのうち少なくとも何れかを行うことができる。従って、機能モジュールの電力路と情報路とを同時に確保することができる。
【００４０】
また、延長配線モジュールは、その入力接続部をゲート装置に接続し、出力接続部に副ゲート装置を接続して用いるので、副ゲート装置をゲート装置から離れて設置することができ、その副ゲート装置のモジュール接続部に接続される機能モジュールは、ゲート装置から離れることになる。従って、ゲート装置の設置位置に限定されることなく、機能モジュールをゲート装置の設置位置から離れた位置に設置して機能モジュールを機能させることができるという効果を奏する。
【発明を実施するための最良の形態】
【００４１】
以下、本発明に係る配線システム及び配線システムに用いられる延長配線モジュールの一実施形態（第一実施形態）について図面を参酌しつつ説明する。
図１に、本第一実施形態における配線システム１及び配線システム１に用いられる延長配線モジュール５が示されている。該配線システム１は、分電盤２を介して例えば屋内等の適所に引き込まれて配線されて電力を供給する電力路と情報信号を伝送する情報路とを形成する電線、具体的には、電力線Ｌ１及び情報線Ｌ２を備える電線に接続されるゲート装置３と、ゲート装置３に接続される延長配線モジュール５と、延長配線モジュール５に接続される機能モジュール４とを備える。尚、本第一実施形態では、ゲート装置３は複数箇所設けられているが、１箇所でもよい。
【００４２】
ゲート装置３は、図１２に示すように、建物内の適所において埋め込み配設している１乃至複数のスイッチボックスＳＢに取り付けられることによって、建物の天井や側壁や床等を構成する壁面（所謂造営面）に埋設固定されるものであり、壁内に配線された電力線Ｌ１及び情報線Ｌ２のそれぞれに接続される電力路接続口３１と情報路接続口３２とを有する。具体的には、ゲート装置３は、壁面等の造営面に前面開口するように埋め込み配設されたスイッチボックスＳＢ内の奥壁に取り付けられ、図１３に示すように、後部（スイッチボックスＳＢの奥壁側）に、電力線Ｌ１及び情報線Ｌ２をそれぞれ接続する上下一対の端子部を上下に２組３３，３４，３３’，３４’並べて配備している。また、ゲート装置３の前部には、電力線Ｌ１と電気的に接続される接触部を備え且つ前方開口した電力路接続口３１と、情報線Ｌ２と電気的に接続される接触部を備え且つ前方開口した情報路接続口３２とが設けられている。
【００４３】
ここで、電力路接続口３１と情報路接続口３２とは、両者間の間隔及び内部の接触部の配列、開口の形状をシステムとしてモジュール化（定型化或いは規格化）しており、これによって接続部３Ａを構成している。尚、このモジュール化された接続部３Ａをゲート装置３とは別体にて構成し、ゲート装置３に嵌め込むような構成とすることもできる。ゲート装置３は、この接続部３ＡがスイッチボックスＳＢの前面開口側に配置されるように取り付けられる。
【００４４】
また、スイッチボックスＳＢは、図１２に示すように、室内の天井面やエアコン口等のようなハイポジションＨＰに設けられるものと、壁スイッチ等で推奨される高さ位置（ミドルポジションＭＰ）に設けられるものと、足元付近（ローポジションＬＰ）に設けられるものとに区分される。よって、ゲート装置３は、ハイポジションＨＰ、ミドルポジションＭＰ、及びローポジションＬＰのそれぞれの位置に設置可能である。
【００４５】
ゲート装置３に接続される延長配線モジュール５は、図２に示すように、略直方体状の延長配線モジュール本体５１と延長配線モジュール本体５１の一端部に設けられる入力接続部５２と他端部に設けられる出力接続部５３と入力接続部５２から出力接続部５３に電力を送るための延長送電手段５４と入力接続部５２から出力接続部５３に情報を送るための延長送信手段５５とを備える。
延長配線モジュール本体５１は、壁面に沿って取り付けるための取付手段を備えている。例えば、レール等の引掛部材を壁面に沿って設置し、その引掛部材を介して延長配線モジュール５を壁面に沿って取り付ける方法等が採用し得る。このように延長配線モジュール５を壁面に沿って取り付けることによって、部屋の美観を損なうことがない。
【００４６】
入力接続部５２は、延長配線モジュール本体５１の一端部背面側又は一端部側面側に配備することができる。つまり、延長配線モジュール５は、延長配線モジュール本体５１の一端部背面側に入力接続部５２を配設して構成される場合でも、延長配線モジュール本体５１の一端部側面側に入力接続部５２を配設して構成される場合でもよく、更に、入力接続部５２を延長配線モジュール本体５１の一端部の背面側と側面側とを切換自在となるように配設して構成される場合でもよい。入力接続部５２は、コネクタ５Ａであり、ゲート装置３の電力路接続口３１に適合する電力被接触部５２１と情報路接続口３２に適合する情報被接触部５２２とを備える。即ち、コネクタ５Ａは、モジュール化された電力被接触部５２１と情報被接触部５２２とを備える。
【００４７】
出力接続部５３は、接続部５Ｂであり、後述する機能モジュール４の電力被接触部４１に適合する接触部を備え且つ前方開口した電力路接続口５３１と、情報被接触部４２に適合する接触部を備え且つ前方開口した情報路接続口５３２とを備える。即ち、接続部５Ｂは、モジュール化された電力路接続口５３１と情報路接続口５３２とを備える。
【００４８】
延長送電手段５４は、電力被接触部５２１と電力路接続口５３１とを繋ぐ延長電力線Ｌ３である。延長送信手段５５は、情報被接触部５２２と情報路接続口５３２とを繋ぐ延長情報線Ｌ４である。延長電力線Ｌ３と延長情報線Ｌ４とは、延長配線モジュール本体５１に収納されている。
【００４９】
このように、コネクタ５Ａがモジュール化された電力被接触部５２１と情報被接触部５２２とを備え、接続部５Ｂがモジュール化された電力路接続口５３１と情報路接続口５３２とを備えることによって、複数の延長配線モジュール５を用いて、一の延長配線モジュール５のコネクタ５Ａを他の延長配線モジュール５の接続部５Ｂに着脱自在に接続することができて複数の延長配線モジュール５を適宜連設することが可能となる。また、ゲート装置３の接続部３Ａと前記コネクタ５Ａとは適合するため、延長配線モジュール５をどのゲート装置３にも接続することができ、レイアウトフリーで施工性に優れた配線システムとなる。尚、延長送電手段５４及び延長送信手段５５は、何れか一方を有する場合であってもよい。
【００５０】
また、延長配線モジュール５は、コネクタ５Ａと接続部５Ｂとの間の距離を異なる距離として、数種類準備することができる。更に、延長配線モジュール本体５１は、略直方体状の形状だけでなく、図１に示すように、例えば、上面視略Ｌ字状の形状とすることもできる。このような形状の延長配線モジュール本体５１を有する延長配線モジュール５を用いることにより、図１に示すように、壁同士で形成される角部にも対応することができる。
【００５１】
尚、前記接続部３Ａがその前部に設けられているゲート装置３に延長配線モジュール５を接続する場合には、延長配線モジュール本体５１の一端部背面側に入力接続部５２を設けて延長配線モジュール５を構成し、該入力接続部５２を接続部３Ａに接続する。つまり、本第一実施形態においては、ゲート装置３と延長配線モジュール５とは、ゲート装置３の前部と延長配線モジュール本体５１の一端部背面とが対向するように延長配線モジュール本体５１の一端部をゲート装置３の前部に重ね合わせて接続する。尚、延長配線モジュール本体５１は、幅木や腰板等として使用することも可能である。
【００５２】
延長配線モジュール５の出力接続部５３に接続される機能モジュール４は、図３に示すように、一方の側部（入力側）にコネクタ４Ａを有する。尚、コネクタ４Ａを一方の側部だけでなく、機能モジュール４の背面側にも設けてもよい。これにより、ゲート装置３に直接機能モジュール４を接続することができる。また、他方の側部（出力側）には、接続部４Ｂを有する。コネクタ４Ａ及び接続部４Ｂの具体的な構成は、上述した延長配線モジュール５のコネクタ５Ａ及び接続部５Ｂの構成と同じであるため、その説明を省略する。
【００５３】
また、機能モジュール４は、その内部に様々な回路が構成されることによって、構成された回路に応じた様々な機能を有する。例えば、図１３に示すように、電源コンセント型の機能モジュールの回路構成とすることができる。具体的には、商用電源ＡＣに対応するようにコンセント部４５を接続し、このコンセント部４５を介して外部負荷への電源供給が行えるようになっている。
【００５４】
また、機能モジュール４は、商用電源ＡＣを所定の電圧に降下させるとともに周波数を高くし、この高い周波数に変換した低圧交流電源をコア４３に巻装したコイル４４に印加するＡＣ／ＡＣコンバータと、低圧交流電源を整流平滑後、安定した直流電圧からなる内部回路の動作電源＋Ｖを得る直流電源部と、情報線Ｌ２を通じて双方向に伝送される情報信号を送受信する送受信部と、情報線Ｌ２を介して受信される情報信号をＥ／Ｏ変換して発光素子ＬＥＤを通じて送出するＥ／Ｏ変換部と、拡張用機能モジュールから送られてくる光信号からなる情報信号を受光素子ＰＤで受光してＯ／Ｅ変換して送受信部に渡すＯ／Ｅ変換部とを備える。
【００５５】
コイル４４及びコア４３は機能モジュール４と必要に応じて連結する拡張用機能モジュールに電力を非接触で供給するための給電手段を構成するトランスの一次側となる電磁結合部を構成するもので、拡張用機能モジュールが備える電磁結合部のコアに機能モジュール４のコア４３が磁気結合してトランス作用により拡張用機能モジュールに設けた電磁結合部のコイルに低圧交流電源電圧を誘起させて電源供給を行うようになっている。ここでＡＣ／ＡＣコンバータにより商用周波数よりも周波数が高い交流電源に変換することで、電磁結合部によるトランス構成の小型化を図っている。
【００５６】
一方、Ｅ／Ｏ変換部の発光素子ＬＥＤは、上述の拡張用機能モジュールに情報信号を光信号により非接触で伝達するためのもので、拡張用機能モジュールのＯ／Ｅ変換部に設けた受光素子ＰＤに対置される。またＯ／Ｅ変換部の受光素子ＰＤは連結する拡張用機能モジュール等から光信号により伝達されてくる情報信号を受け取るためのもので、連接する拡張用機能モジュールのＥ／Ｏ変換部の発光素子ＬＥＤに対置される。
【００５７】
尚、機能モジュール４としては、このような電源コンセント型の機能モジュールの場合に限定されず、例えば、照明器具の引掛プラグに対応した引掛栓刃接続部を持つ引掛シーリングローゼット型の機能モジュールや、人感センサ等を備えたセンサ型機能モジュール、更に監視カメラを備えたカメラ型機能モジュールや、ＢＧＭ等のスピーカを持つ機能モジュール等がある。また、照明器具などをオン／オフ操作するスイッチを備えた機能モジュールや、空調機器のコントローラ等の操作器型機能モジュール、モニタ装置を備えた機能モジュールでもよい。
【００５８】
以上のようなゲート装置３、機能モジュール４、及び延長配線モジュール５は、利用者の用途に応じて様々な接続形式を採り得るのであるが、例えば、以下のような接続形式を採用し得る。即ち、図１に示すように、第一の接続形式として、ゲート装置３の接続部３Ａに延長配線モジュール５のコネクタ５Ａを接続し、その延長配線モジュール５の接続部５Ｂに機能モジュール４のコネクタ４Ａを接続する形式を採用できる。
【００５９】
また、第二の接続形式として、まず、ゲート装置３の接続部３Ａに一つの延長配線モジュール５のコネクタ５Ａを接続する。そして、その延長配線モジュール５の接続部５Ｂに他の延長配線モジュール５のコネクタ５Ａを接続し、複数の延長配線モジュール５を連接する。そして更に、連接した他の延長配線モジュール５の接続部５Ｂに機能モジュール４のコネクタ４Ａを接続する形式を採用できる。
【００６０】
更に、第三の接続形式として、まず、ゲート装置３の接続部３Ａに一つの延長配線モジュール５のコネクタ５Ａを接続する。そして、その延長配線モジュール５の接続部５Ｂに一つの機能モジュール４のコネクタ４Ａを接続する。そして更に、その機能モジュール４の接続部４Ｂに他の延長配線モジュール５のコネクタ５Ａを接続する。更に、他の延長配線モジュール５の接続部５Ｂに他の機能モジュール４のコネクタ４Ａを接続する形式を採用できる。
【００６１】
何れの接続形式であっても、接続部３Ａ，４Ｂ，５Ｂを構成する電力路接続口及び情報路接続口とコネクタ４Ａ，５Ａを構成する電力被接触部及び情報被接触部とがそれぞれ接触結合されるため、電力線Ｌ１からの電力が延長電力線Ｌ３を通して機能モジュール４に接触給電されると共に情報線Ｌ２からの情報信号が延長情報線Ｌ４を通して機能モジュール４に伝達される。よって、機能モジュール４は、その機能（例えば、コンセント機能等）を発揮することが可能となる。
【００６２】
続いて、延長配線モジュール５の他の形態について説明する。即ち、延長配線モジュール５は、上述のようなコネクタ５Ａと接続部５Ｂとを有する構成である場合に限定されず、非接触にて送電及び情報の伝達をするような構成とすることもできる。具体的には、図４に示すように、延長配線モジュール５は、延長配線モジュール本体５１の両端部（入力側となる一端部及び出力側となる他端部）に一対のコア５６と、それぞれのコア５６に巻装される一対のコイル５７とを備え、両コイル５７を接続する延長電力線Ｌ３とを備え、入力側となる一端部のコア５６とコイル５７とが非接触入力送電部を構成し、出力側となる他端部のコア５６とコイル５７とが非接触出力送電部を構成している。これにより、連接する機能モジュール４或いは延長配線モジュール５に非接触で電力線Ｌ１からの電力を送電することができる。
【００６３】
また、延長配線モジュール５は、延長配線モジュール本体５１の両端部にそれぞれＥ／Ｏ変換部とＯ／Ｅ変換部との組を備え、入力側となる一端部のＥ／Ｏ変換部とＯ／Ｅ変換部とが非接触入力送信部を構成し、出力側となる他端部のＥ／Ｏ変換部とＯ／Ｅ変換部とが非接触出力送信部を構成している。具体的には、入力側のＥ／Ｏ変換部は出力側のＯ／Ｅ変換部と延長情報線Ｌ４で接続され、入力側のＯ／Ｅ変換部は出力側のＥ／Ｏ変換部と延長情報線Ｌ４接続されている。これにより、情報線Ｌ２からの情報信号をＥ／Ｏ変換して発光素子ＬＥＤを通じて連接する機能モジュール４或いは延長配線モジュール５に非接触で送信することができ、また、連接する機能モジュール４或いは延長配線モジュール５からの情報信号を非接触で受信することができる。
【００６４】
この場合、延長配線モジュール５と、ゲート装置３又は機能モジュール４との接続は非接触接続となる。具体的には、ゲート装置３は、その後部に、電力線Ｌ１及び情報線Ｌ２をそれぞれ接続する上下一対の端子部を上下に２組３３，３４，３３’，３４’並べて配備している。また、図５及び図６に示すように、ゲート装置３は、商用電源ＡＣを所定の電圧に降下させるとともに周波数を高くし、この高い周波数に変換した低圧交流電源をコア３５に巻装したコイル３６に印加するＡＣ／ＡＣコンバータと、低圧交流電源を整流平滑後、安定した直流電圧からなる内部回路の動作電源＋Ｖを得る直流電源部と、情報線Ｌ２を通じて双方向に伝送される情報信号を送受信する送受信部と、情報線Ｌ２を介して受信される情報信号をＥ／Ｏ変換して発光素子ＬＥＤを通じて送出するＥ／Ｏ変換部と、拡張用機能モジュールから送られてくる光信号からなる情報信号を受光素子ＰＤで受光してＯ／Ｅ変換して送受信部に渡すＯ／Ｅ変換部とを備える。即ち、ゲート装置３は、コア３５とコイル３６とが非接触入出力送電部を構成し、Ｅ／Ｏ変換部３７とＯ／Ｅ変換部３８とが非接触入出力送信部を構成している。これにより、ゲート装置３は、その側部に接続部３Ａが形成され、ゲート装置３の側部にて機能モジュール４又は延長配線モジュール５と接続可能となる。
【００６５】
また、機能モジュール４は、その両端部に、非接触で電力線Ｌ１からの電力を受けるための一対のコア４３及びコイル４４と、情報線Ｌ２或いは連接する機能モジュール４等からの情報信号を送受信するためのＥ／Ｏ変換部及びＯ／Ｅ変換部の組とをそれぞれ備えている。即ち、機能モジュール４は、入力側となる一端部のコア４３とコイル４４とが非接触入力送電部を構成し、出力側となる他端部のコア４３とコイル４４とが非接触出力送電部を構成している。また、入力側となる一端部のＥ／Ｏ変換部とＯ／Ｅ変換部とが非接触入力送信部を構成し、出力側となる他端部のＥ／Ｏ変換部とＯ／Ｅ変換部とが非接触出力送信部を構成している。
【００６６】
そして、ゲート装置３、機能モジュール４、及び延長配線モジュール５には、それぞれ連結用溝部１６が設けられている。そして、ゲート装置３と機能モジュール４又は延長配線モジュール５、或いは隣り合う延長配線モジュール５同士、或いは機能モジュール４と延長配線モジュール５とを接続する際には、双方の連結用溝部に合成樹脂製の連結体（図示しない）をそれぞれ嵌め込む。これにより、ゲート装置３と機能モジュール４又は延長配線モジュール５、或いは隣り合う延長配線モジュール５同士、或いは機能モジュール４と延長配線モジュール５とを機械的に結合できるようになっている。尚、ゲート装置３又は機能モジュール４にカバー体を取り付けてもよい。このように、ゲート装置３の接続部３Ａをその側部に設けて延長配線モジュール５を接続する場合には、延長配線モジュール本体５１の一端部側面側に入力接続部５２を設けて延長配線モジュール５を構成し、該入力接続部５２を接続部３Ａに対応させて接続する。つまり、ゲート装置３と延長配線モジュール５とは、ゲート装置３の側部と延長配線モジュール本体５１の一端部側面とが対向するように接続する。
【００６７】
このような接続形式であっても、機能モジュール４には、電力線Ｌ１からの電力及び情報線Ｌ２からの情報信号が各モジュール間を被接触にて送られて供給されるため、機能モジュール４は機能する。
【００６８】
以上の構成からなる配線システム１にあっては、機能モジュール４は、その入力接続部としてのコネクタ４Ａを構成する電力被接触部４１と情報被接触部４２とを延長配線モジュール５の出力接続部５３としての電力路接続口５３１と情報路接続口５３２とにそれぞれ接続されることによって、電力線Ｌ１から延長送電手段５４としての延長電力線Ｌ３を通して電力を受けると共に情報線Ｌ２から延長送信手段５５としての延長情報線Ｌ４を通して情報を受けることができる。従って、機能モジュール４のコネクタ４Ａをゲート装置３に接続された延長配線モジュール５の接続部５Ｂに接続すれば、機能モジュール４の電力路と情報路とを同時に確保することができる。
【００６９】
また、壁に埋設固定されたゲート装置３の接続部３Ａに延長配線モジュール５のコネクタ５Ａを接続し、その延長配線モジュール５の接続部５Ｂに機能モジュール４のコネクタ４Ａを接続するので、機能モジュール４は、延長配線モジュール５のコネクタ５Ａと接続部５Ｂとの間の距離の分だけ壁に沿った方向にゲート装置３から離れることになる。従って、ゲート装置３の設置位置に限定されることなく、機能モジュール４をゲート装置３の設置位置から離れた位置に設置して機能モジュール４を機能させることができる。
【００７０】
更に、延長配線モジュール５は複数準備することができ、各延長配線モジュール５のコネクタ５Ａと接続部５Ｂとが互いに接続可能に構成されているので、例えば、一つの延長配線モジュール５のコネクタ５Ａをゲート装置３の接続部３Ａに接続し、その延長配線モジュール５の接続部５Ｂに他の延長配線モジュール５のコネクタ５Ａを接続するなどして、延長配線モジュール５をゲート装置３と機能モジュール４との間で連接して設けることができる。従って、ゲート装置３と機能モジュール４との間の距離を、延長配線モジュール５の連設個数を変更することによって調整することができる。
【００７１】
また更に、延長配線モジュール５は、そのコネクタ５Ａと接続部５Ｂとの間の距離が異なるものを複数準備することができ、必要に応じて延長配線モジュール５の種類を使い分けることによって、ゲート装置３と機能モジュール４との間の距離の調整が容易になる。
【００７２】
次に、他の実施形態（第二実施形態）に係る配線システム１及び配線システム１に用いられる延長配線モジュール５について説明する。
本第二実施形態における配線システム１は、壁内に配線された電力線Ｌ１及び情報線Ｌ２のそれぞれに接続されると共に壁に埋設固定されるゲート装置３と、入力接続部５２と出力接続部５３と入力接続部５２から出力接続部５３に電力を送るための延長送電手段５４と入力接続部５２から出力接続部５３に情報を送るための延長送信手段５５とを備える延長配線モジュール５と、電力線Ｌ１から電力を受けると共に情報線Ｌ２から情報を受けることによって所定の機能を発揮する機能モジュール４とを備える。これらのゲート装置３、延長配線モジュール５、及び機能モジュール４の具体的な構成については、上記第一実施形態におけるゲート装置３、延長配線モジュール５、及び機能モジュール４の構成と同様であるため、その説明を省略する。但し、機能モジュール４については、一方の側部だけでなく、背面側にも後述の副ゲート装置６のモジュール接続部６Ａに接続するためのコネクタ４Ａを有する。
【００７３】
本第二実施形態に係る配線システム１は、図７に示すように、更に、前記ゲート装置３とは異なる別体のゲート装置であって機能モジュール４を接続するためのモジュール接続部６Ａを有する副ゲート装置６を備える。ここで、モジュール接続部６Ａは、電力線接続口６１と情報線接続口６２とを有する接続部であり、機能モジュール４のコネクタ４Ａを接続することができるようにモジュール化されており、前記ゲート装置３の接続部３Ａと同様の構成である。また、副ゲート装置６は、その一端部に入力接続部としてのコネクタ６Ｂを、他端部に出力接続部としての接続部６Ｃとを備えており、コネクタ６Ｂと延長配線モジュール５の接続部５Ｂとが接続可能で、接続部６Ｃと延長配線モジュール５のコネクタ５Ａとが接続可能となっている。
【００７４】
尚、副ゲート装置６のモジュール接続部６Ａは、機能モジュール４のコネクタ４Ａと接触して送電及び情報伝達を行う場合に限られず、非接触で送電及び情報伝達を行う場合であってもよい。
【００７５】
このような配線システム１にあっては、例えば、壁に埋設固定されたゲート装置３の接続部３Ａに延長配線モジュール５のコネクタ５Ａを接続し、延長配線モジュール５の接続部５Ｂに副ゲート装置６のコネクタ６Ｂを接続する。そして、副ゲート装置６の接続部６Ｃに機能モジュール４の背面側のコネクタを接続すると、機能モジュール４が電力線Ｌ１から延長配線モジュール本体５１内の延長電力線Ｌ３を通して電力を受けると共に情報線Ｌ２から延長配線モジュール本体５１内の延長情報線Ｌ４を通して情報を受け、その機能を発揮することになる。
【００７６】
以上のような構成の配線システム１にあっては、機能モジュール４は、その背面側のコネクタを副ゲート装置６のモジュール接続部６Ａである接続部に接続することによって、電力線Ｌ１から延長送電手段である延長電力線Ｌ３を通して電力を受けると共に情報線Ｌ２から延長送信手段である延長情報線Ｌ４を通して情報を受けることができる。従って、機能モジュール４の電力路と情報路とを同時に確保することができる。
【００７７】
また、ゲート装置３の接続部３Ａに延長配線モジュール５のコネクタ５Ａを接続し、その延長配線モジュール５の接続部５Ｂに副ゲート装置６のコネクタ６Ｂを接続するので、副ゲート装置６は、延長配線モジュール５のコネクタ５Ａと接続部５Ｂとの間の距離の分だけ壁に沿った方向にゲート装置３から離れることになる。そして、機能モジュール４の背面側のコネクタは、副ゲート装置６のモジュール接続部６Ａに接続されるので、機能モジュール４についても、ゲート装置３から離れることになる。従って、ゲート装置３の設置位置に限定されることなく、機能モジュール４をゲート装置３の設置位置から離れた位置に設置して機能モジュール４を機能させることができる。
【００７８】
更に、延長配線モジュール５は複数準備することができ、各延長配線モジュール５のコネクタ５Ａと接続部５Ｂとが互いに接続可能に構成されているので、例えば、一つの延長配線モジュール５のコネクタ５Ａをゲート装置３の接続部３Ａに接続し、その延長配線モジュール５の接続部５Ｂに他の延長配線モジュール５のコネクタ５Ａを接続するなどして、延長配線モジュール５をゲート装置３と副ゲート装置６との間で連接して設けることができる。従って、ゲート装置３と副ゲート装置６に接続された機能モジュール４との間の距離を、延長配線モジュール５の連設個数を変更することによって調整することができる。
【００７９】
また更に、延長配線モジュール５は、そのコネクタ５Ａと接続部５Ｂとの間の距離が異なるものを複数準備することができ、必要に応じて延長配線モジュール５の種類を使い分けることによって、ゲート装置３と副ゲート装置６に接続された機能モジュール４との間の距離の調整が容易になる。
【００８０】
続いて、他の実施形態（第三実施形態）に係る配線システム１及び配線システム１に用いられる延長配線モジュール５について説明する。本第三実施形態では、前記電線として、給電用の配線（電力線Ｌ１）を利用してデータ通信を行う電力線搬送信（Power Line Communication、以下、「ＰＬＣ」と略記する。）を採用している。即ち、本第三実施形態では、図８に示すように、前記電線として電力線Ｌ１のみが造営面の裏面に先行配線されており、該電力線Ｌ１を利用して電力を供給する電力路と情報信号を伝送する情報路とを形成している。従って、本第三実施形態においては、電力線Ｌ１を用いて電力の供給と情報信号の伝送とがなされる。
【００８１】
本第三実施形態に係る配線システム１は、壁内に配線された電力線Ｌ１に接続されると共に壁に埋設固定されるゲート装置３と、入力接続部５２と出力接続部５３と入力接続部５２から出力接続部５３に電力と情報信号とを伝送するための延長送電手段５４を備える延長配線モジュール５と、電力線Ｌ１から電力を受けると共に情報を受けることによって所定の機能を発揮する機能モジュール４とを備える。
【００８２】
ゲート装置３は、建物内の適所において埋め込み配設している１乃至複数のスイッチボックスＳＢに取り付けられることによって壁に埋設固定されるものであり、電力線Ｌ１に接続された電力路接続口３１を有する。具体的には、ゲート装置３は、建物内の天井や側壁、床等を構成する壁面（所謂造営面）に前面開口するように埋め込み配設されたスイッチボックスＳＢ内の奥壁に取り付けられ、後部（スイッチボックスＳＢの奥壁側）に、電力線Ｌ１を接続するための上下一対の端子部３３，３３’を配備している。また、ゲート装置３の前部には、電力線Ｌ１と電気的に接続される接触部を備え且つ前方開口した電力路接続口３１が設けられている。
【００８３】
ここで、電力路接続口３１は、その内部の接触部の配列、開口の形状をシステムとしてモジュール化（定型化或いは規格化）しており、これによって接続部３Ａを構成している。ゲート装置３は、この接続部３ＡがスイッチボックスＳＢの前面開口側に配置されるように取り付けられる。
【００８４】
ゲート装置３に接続される延長配線モジュール５は、図９に示すように、略直方体状の延長配線モジュール本体５１と、延長配線モジュール本体５１の一端部に設けられる入力接続部５２と、他端部に設けられる出力接続部５３と、入力接続部５２から出力接続部５３に電力及び情報を送るための延長送電手段５４とを備える。延長配線モジュール本体５１は、壁面に沿って取り付けるための取付手段を備えている。例えば、レール等の引掛部材を壁面に沿って設置し、その引掛部材を介して延長配線モジュール５を壁面に沿って取り付ける方法等が採用し得る。このように延長配線モジュール５を壁面に沿って取り付けることによって、部屋の美観を損なうことがない。
【００８５】
入力接続部５２は、コネクタ５Ａであり、ゲート装置３の電力路接続口３１に適合する電力被接触部５２１を備える。即ち、コネクタ５Ａは、モジュール化された電力被接触部５２１を備える。
【００８６】
出力接続部５３は、接続部５Ｂであり、後述する機能モジュール４の電力被接触部４１に適合する接触部を備え且つ前方開口した電力路接続口５３１を備える。即ち、接続部５Ｂは、モジュール化された電力路接続口５３１を備える。
【００８７】
延長送電手段５４は、電力被接触部５２１と電力路接続口５３１とを繋ぐ延長電力線Ｌ３であり、延長配線モジュール本体５１に収納されている。本第三実施形態においては、入力接続部５２から延長送電手段５４を介して出力接続部５３まで、電力と情報信号とが重畳した状態で伝送される。
【００８８】
このように、コネクタ５Ａがモジュール化された電力被接触部５２１を備え、接続部５Ｂがモジュール化された電力路接続口５３１を備えることによって、コネクタ５Ａは、接続部５Ｂに着脱自在に接続することができ、延長配線モジュール５をどのゲート装置３にも接続することができるので、レイアウトフリーで施工性に優れた配線システムとなる。
【００８９】
また、延長配線モジュール５は、コネクタ５Ａと接続部５Ｂとの間の距離を異なる距離として、数種類準備することができる。更に、延長配線モジュール本体５１は、略直方体状の形状だけでなく、上面視略Ｌ字状の形状とすることもできる。このような形状の延長配線モジュール本体５１を有する延長配線モジュール５を用いることにより、壁同士で形成される角部にも対応することができる。尚、ゲート装置３に接続される延長配線モジュール５については、延長配線モジュール本体５１の背面側にコネクタ５Ａが設けられる。また、延長配線モジュール本体５１は、幅木や腰板等として使用することも可能である。
【００９０】
延長配線モジュール５の出力接続部５３に接続される機能モジュール４は、所謂ＰＬＣモデムであり、商用周波数の電力波形に商用周波数よりも高い周波数のＰＬＣの通信信号を重畳して送信すると共にこの電力波形からこの高い周波数のＰＬＣの通信信号を分離して受信することができる。
【００９１】
該機能モジュール４は、図１０及び図１１に示すように、モジュラージャック７、コネクタ４Ａとしての端子部８、電源部９、表示回路１０、コモンモードチョークコイル１１、フィルタ回路１２、送り配線用端子部１３、電力線搬送通信用モデム１４、及び通信インタフェース１５を備える。
【００９２】
コネクタ４Ａは、図１０に示すように、機能モジュール４の一方の側部（入力側）に設けられている。尚、他方の側部（出力側）に接続部４Ｂを設けることもできる。また、コネクタ４Ａ及び接続部４Ｂの具体的な構成は、上述した延長配線モジュール５のコネクタ５Ａ及び接続部５Ｂの構成と同じであるため、その説明を省略する。また、コネクタ４Ａを一方の側部だけでなく、機能モジュール４の背面側にも設けてもよい。これにより、ゲート装置３に直接機能モジュール４を接続することができる。
【００９３】
電力線搬送通信用モデム１４は、結合回路１４１、送受信部１４２、及びモデム１４３を少なくとも含み、電力線搬送通信用の通信信号を変復調する。結合回路１４１は、コンデンサＣ１，Ｃ２及び絶縁トランスＴを備える。コンデンサＣ１，Ｃ２は、商用電源周波数（電源成分）をカットするコンデンサである。絶縁トランスＴは、１次側がコンデンサＣ１，Ｃ２を介してコモンモードチョークコイル１１に接続され、２次側が送受信部１４２に接続されている。
【００９４】
送受信部１４２は、結合回路１４１とモデム１４３との間に接続され、絶縁トランスＴの２次側に接続されて電力線Ｌ１との間で電力線搬送通信用の信号（以下、通信信号と呼ぶ。）を送受信する。すなわち、送受信部１４２は、結合回路１４１により出力された通信信号をモデム１４３の受信に適した信号形態に変換し、受信信号ＲＸとしてモデム１４３に出力する受信回路１４２ａと、モデム１４３から出力された送信信号Ｔｘを電力線搬送通信用の信号形態に変換し、結合回路１４１に出力する送信回路１４２ｂとを備えている。
【００９５】
モデム１４３は、電力線Ｌ１に重畳して伝送される所定形式の通信信号からデータ信号を復調する復調機能並びにコンピュータなどの通信機器側の送信データを所定形式の通信信号に変調する変調機能を有する。
【００９６】
このように、結合回路１４１、送受信部１４２、及びモデム１４３を少なくとも含む電力線搬送通信用モデム１４が構成され、商用周波数の電力波形に商用周波数よりも高い周波数のＰＬＣの通信信号が重畳されて送信されると共に、この電力波形からこの高い周波数のＰＬＣの通信信号が分離されて受信される。
【００９７】
通信インタフェース１５は、ＬＡＮコントローラ１５１及び制御回路１５２を備える。ＬＡＮコントローラ１５１は、モジュラージャック７に接続される通信ケーブルを介して通信機器との間で１００ＢＡＳＥ−ＴＸなどの規格に準拠したデータ伝送を行う。制御回路１５２は、ＣＰＵを主構成要素とし、モデム１４３とＬＡＮコントローラ１５１との間で授受するデータ（パケット）のフィルタリングなどのセキュリティ機能や、データ伝送中であることを知らせるために表示回路１０を制御して表示回路１０が有する表示素子ＬＤを発光させる機能等を有している。
【００９８】
モジュラージャック７は、例えばＲＪ４５等の規格に準拠するコネクタであり、通信ケーブルを介して通信機器と接続される。
【００９９】
表示回路１０は、図１に示す表示素子ＬＤから構成され、制御回路１５２の制御の下、発光、点滅等することで、現在、データが伝送中であるというような情報を報知する。
【０１００】
電源部９は、電力線Ｌ１から端子部８及びコモンモードチョークコイル１１を介して給電される商用交流電源から直流電源を生成し、送受信部１４２、モデム１４３、ＬＡＮコントローラ１５１、制御回路１５２、及び表示回路１０等の各回路へ、直流電力を供給する。詳細には、電源部９は、ＰＬＣの周波数帯域（例えば２ＭＨｚ〜３０ＭＨｚ）に対して高インピーダンスになるインピーダンスアッパ回路９１と、ＡＣ−ＤＣコンバータからなる電源回路９２とを備える。
【０１０１】
コモンモードチョークコイル１１は、端子部８と電力線搬送通信用モデム１４との間（具体的には、端子部８と結合回路１４１との間）に介設され、電力線搬送通信用モデム１４のコモンモードノイズを遮断する。これにより、電力線搬送通信用モデム１４で生じたコモンモードノイズが、電力線Ｌ１へ流出することが抑制され、輻射ノイズが低減される。
【０１０２】
フィルタ回路１２は、送り配線用端子部１３とコモンモードチョークコイル１１との間に介設され、ＰＬＣの通信帯域（例えば２ＭＨｚ〜３０ＭＨｚ）を遮断する。これにより、送り配線用端子部１３に電気的に接続された電気機器で生じたノイズが電力線搬送通信用モデム１４に流入することが抑制される。また、フィルタ回路１２は、コモンモードノイズを遮断する機能及びノーマルモードノイズを遮断する機能を備えている。コモンモードノイズを遮断する機能は、フィルタ回路１２に、コモンモードチョークコイルを設けることで実現することができる。また、ノーマルモードノイズを遮断する機能は、コイル、抵抗、コンデンサ等から構成され、ノーマルモードノイズを遮断するフィルタを、フィルタ回路１２に設けることで実現することができる。
【０１０３】
また、機能モジュール４は、送り配線用端子部１３にコンセントＢが配備されており、該コンセントＢは大角形連用配線器具（ＪＩＳ  Ｃ  ８３０４参照）の１個モジュールを１連の取付枠（ＪＩＳ  Ｃ  ８３７５参照）に３個連接して設けられている。また、コンセントＢは、刃受Ｂ１を備えている。
【０１０４】
このようなゲート装置３、機能モジュール４、及び延長配線モジュール５を、図８に示すように、ゲート装置３の接続部３Ａに延長配線モジュール５のコネクタ５Ａを接続し、その延長配線モジュール５の接続部５Ｂに機能モジュール４のコネクタ４Ａを接続することによって、機能モジュール４は、その機能（例えば、コンセント機能等）を発揮する。即ち、電力線Ｌ１からの電力と情報信号とが重畳した状態で延長電力線Ｌ３を通して機能モジュール４に伝達され、電力と情報信号とに分離される。
【０１０５】
以上の構成からなる配線システム１にあっては、機能モジュール４がその入力接続部としてのコネクタ４Ａを構成する電力被接触部４１を延長配線モジュール５の出力接続部５３としての電力路接続口５３１に接続されることによって、電力線Ｌ１から延長送電手段５４を通して電力を受けると共に情報を受けることができる。従って、機能モジュール４のコネクタ４Ａをゲート装置３に接続された延長配線モジュール５の接続部５Ｂに接続すれば、機能モジュール４の電力路と情報路とを同時に確保することができる。
【０１０６】
尚、第一及び第三実施形態では、延長配線モジュール５は、出力接続部５３が一つである場合について説明したが、これに限られず、複数である場合であってもよい。例えば、延長電力線Ｌ３及び延長情報線Ｌ４が途中で分岐し、分岐した先端に第二接続部が設けられている場合でもよい。
【図面の簡単な説明】
【０１０７】
【図１】本発明の第一実施形態に係る配線システム及び配線システムに用いられる延長配線モジュールを示す斜視図。
【図２】延長配線モジュールを示す正面図。
【図３】機能モジュールを示す正面図。
【図４】延長配線モジュールの他の形態を示す正面図。
【図５】ゲート装置の他の形態を示す斜視図。
【図６】ゲート装置の他の形態を示す構成説明図。
【図７】第二実施形態における配線システムの副ゲート装置を示す正面図。
【図８】第三実施形態における配線システムを示す概略図。
【図９】第三実施形態における延長配線モジュールを示す正面図。
【図１０】第三実施形態における機能モジュールを示す正面図。
【図１１】第三実施形態における機能モジュールを示す構成説明図。
【図１２】従前の出願に係る配線システムを示す構成説明図。
【図１３】従前の出願に係る配線システムのゲート装置及び機能モジュールを示す構成説明図。
【符号の説明】
【０１０８】
１…配線システム、２…分電盤、３…ゲート装置、４…機能モジュール、５…延長配線モジュール、６…副ゲート装置、３１…電力路接続口、３２…情報路接続口、４１…電力被接触部、４２…情報被接触部、５１…延長配線モジュール本体、５２…入力接続部、５３…出力接続部、５４…延長送電手段、５５…延長送信手段、５２１…電力被接触部、５２２…情報被接触部、５３１…電力路接続口、５３２…情報路接続口、３Ａ，４Ｂ，５Ｂ…接続部、４Ａ，５Ａ…コネクタ、Ｌ１…電力線、Ｌ２…情報線、Ｌ３…延長電力線、Ｌ４…延長情報線、ＳＢ…スイッチボックス
【図１】
2007174892.tif 000003
【図２】
2007174892.tif 000004
【図３】
2007174892.tif 000005
【図４】
2007174892.tif 000006
【図５】
2007174892.tif 000007
【図６】
2007174892.tif 000008
【図７】
2007174892.tif 000009
【図８】
2007174892.tif 000010
【図９】
2007174892.tif 000011
【図１０】
2007174892.tif 000012
【図１１】
2007174892.tif 000013
【図１２】
2007174892.tif 000014
【図１３】
2007174892.tif 000015